(57)【要約】  本発明は、洗濯機を使用したワンクリック注文方法および洗濯機を提供している。該方法は、Ｓ１：洗濯機がトリガー信号を受信する；Ｓ２：識別情報およびトリガー信号の識別子を含む注文コマンドをサーバに送信する；Ｓ３：サーバは注文コマンドを受信すると、注文コマンドに対応する商品属性情報、荷受人情報および支払方式を検索して、商品の注文書を発行する；を含む。本発明の洗濯機はトリガー信号を受信したとき、サーバに注文コマンドを送信し、サーバは該注文コマンドを受信すると、自動的に商品の注文書を発行する。このように商品を使い終わったとき、予め設定した相応する商品を洗濯機で迅速に購入することができ、ユーザの購入操作を簡略化し、ユーザの購入時間を節約し、ユーザの購入効率を高め、商品の迅速な注文を実現する。【選択図】図１
2019504424.tif 000002
【特許請求の範囲】
【請求項１】
洗濯機を使用したワンクリック注文方法であって、
Ｓ１：洗濯機がトリガー信号を受信する；
Ｓ２：識別情報およびトリガー信号の識別子を含む注文コマンドをサーバに送信する；
Ｓ３：サーバは注文コマンドを受信すると、注文コマンドに対応する商品属性情報、荷受人情報および支払方式を検索して、商品の注文書を発行する；を含むことを特徴とする方法。
【請求項２】
注文コマンドと商品属性情報、荷受人情報および支払方式との対応関係をサーバに予め設定することを特徴とする、請求項１に記載の洗濯機を使用したワンクリック注文方法。
【請求項３】
工程Ｓ１の前に、注文コマンドと商品属性情報、荷受人情報および支払方式との対応関係を設定することをさらに含み、設定方法は
Ａ１：クライアント端末のアプリケーションで洗濯機とバインディングする；
Ａ２：クライアント端末のアプリケーションが識別情報およびトリガー信号の識別子を取得して、注文コマンドに保存する；
Ａ３：クライアント端末のアプリケーションは、注文コマンドに対応する商品属性情報、荷受人情報および支払方式を設定して、その対応関係をサーバに保存する；を含むことを特徴とする、請求項２に記載の洗濯機を使用したワンクリック注文方法。
【請求項４】
前記識別情報が、洗濯機番号および／またはユーザＩＤを含むことを特徴とする、請求項３に記載の洗濯機を使用したワンクリック注文方法。
【請求項５】
工程Ｓ１の後に、
Ｂ１：インテリジェント端末に注文を確定するかどうかのメッセージを送信する；または
洗濯機の表示インタフェースに注文を確定するかどうかのメッセージを表示する；
Ｂ２：洗濯機は注文を確定するコマンドを受信すると、工程Ｓ２を実行する；をさらに含むことを特徴とする、請求項１に記載の洗濯機を使用したワンクリック注文方法。
【請求項６】
工程Ｓ３において、商品の注文書を発行するとき、商品の注文書を発行する日付も記録し；
工程Ｓ１において、洗濯機がトリガー信号を受信したとき、現在の日付も取得して、現在の日付から前回商品の注文書を発行した日付までの時間間隔を計算し、該時間間隔が所定の範囲内にある場合、工程Ｓ２を実行することを特徴とする、請求項１に記載の洗濯機を使用したワンクリック注文方法。
【請求項７】
前記荷受人情報が、荷受人の氏名、荷受人の電話番号、荷受住所を少なくとも含み；
前記商品属性情報が、商品の分類、名称、ブランド、バーコード番号、規格、価格範囲、数量、型番、形式、セットプラン、オンラインモールの名称、店舗の名称の少なくとも１つを含むことを特徴とする、請求項１〜６のいずれか１項に記載の洗濯機を使用したワンクリック注文方法。
【請求項８】
前記商品属性情報が、商品のＵＲＬアドレスまたは所定の商品番号をさらに含むことを特徴とする、請求項７に記載の洗濯機を使用したワンクリック注文方法。
【請求項９】
洗濯機に、トリガー信号を発することができる注文装置が設置され；
前記注文装置はタッチパネルであり、所定の軌跡に応じてタッチパネルに触れたとき、所定の軌跡に対応するトリガー信号が洗濯機に送信され、工程Ｓ１を実行する；または
前記注文装置は物理キーであり、所定のキー方式に応じて物理キーを押したとき、所定のキー方式に対応するトリガー信号が洗濯機に送信され、工程Ｓ１を実行する；または
前記注文装置は洗濯機にすでにある、少なくとも２つのキーからなる複合キーであり、複合キーを押したとき、該複合キーに対応するトリガー信号が洗濯機に送信され、工程Ｓ１を実行することを特徴とする、請求項１〜６のいずれか１項に記載の洗濯機を使用したワンクリック注文方法。
【請求項１０】
前記洗濯機に、洗濯機を作動させてサーバに注文コマンドを送信する注文装置が設置され、サーバは注文コマンドに基づいて、商品の注文書を発行することを特徴とする、請求項１〜９のいずれか１項に記載の方法を採用した洗濯機。
【請求項１１】
前記注文装置は洗濯機に設置されたタッチパネルであり、タッチパネルの作動方式は、所定の軌跡に応じて該タッチパネルに触れることを含む；または
前記注文装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む；または
前記注文装置は洗濯機にすでにある、少なくとも２つのキーからなる複合キーであり、複合キーの作動方式は、複合キーを構成する全てのキーを同時に押すことを含むことを特徴とする、請求項１０に記載の洗濯機。
【発明の詳細な説明】
【技術分野】
【０００１】
本発明は洗濯機の分野に関し、特に洗濯機を使用したワンクリック注文方法および洗濯機に関する。
【背景技術】
【０００２】
洗濯機のモデルチェンジに伴い、洗濯機の機能も次第に多くなっている。その機能は、洗剤、柔軟剤を自動的に添加することができることを含み、さらには洗剤、柔軟剤をもうすぐ使い終わるとき、速やかに相応する洗浄製品を購入するようにユーザに促すメッセージを発することができることも含む。
【０００３】
しかしながら現在、洗浄製品を購入するとき、ユーザは自分で覚えてスーパーマーケットに行き、洗浄製品を直接購入するか、またはスマートフォンもしくはコンピュータを使用して、オンラインモールで相応する洗浄製品を検索し、ある商品を選択してから、注文、支払を行い、購入を完了する必要がたびたびある。しかし、生活において次のような状況がよく生じる。ユーザが衣類を洗濯するとき、洗浄製品を使い終わったことに気付くと、そのとき購入する必要があることを覚えていても、一仕事終えるとすぐに忘れてしまい、再度洗浄製品を使用する必要があるとき、洗浄製品をすでに使い終わっていることに気付く。通常ユーザは、固定のブランドおよび種類の洗浄製品を使用しているが、オンラインモールに行くたびに、新たに洗浄製品を検索し、洗浄製品を一々選択して大量の時間を消費する。生活のリズムが速い都会のホワイトカラーにとって、これは極めて不便である。したがって、洗浄製品を使い終わったとき、洗濯機でこの洗浄製品を直接、迅速に購入する洗濯機を急ぎ必要とする。
【０００４】
このことを考慮して、特に本発明を示す。
【発明の概要】
【発明が解決しようとする課題】
【０００５】
本発明が解決しようとする技術的問題は、既存技術の不足を克服することにあり、洗濯機を使用したワンクリック注文方法を提供する。商品属性情報、荷受人情報および支払方式を一括で設定することにより、洗濯機の注文装置を作動させるたびに、洗濯機はサーバに注文コマンドを直接送信し、サーバは該注文コマンドを受信すると、自動的に商品の注文書を発行する。このように洗浄製品を使い終わったとき、洗濯機で迅速に注文することができ、ユーザの操作を簡略化し、洗浄製品の迅速な注文を実現する。
【０００６】
本発明のもう１つの目的は、上記方法を採用した洗濯機を提供することである。
【課題を解決するための手段】
【０００７】
本発明でその技術的問題を解決するために採用した技術案は、以下の通りである。
洗濯機を使用したワンクリック注文方法を提供し、前記方法は以下の工程を含む。
Ｓ１：洗濯機がトリガー信号を受信する。
Ｓ２：識別情報およびトリガー信号の識別子を含む注文コマンドをサーバに送信する。
Ｓ３：サーバは注文コマンドを受信すると、注文コマンドに対応する商品属性情報、荷受人情報および支払方式を検索して、商品の注文書を発行する。
【０００８】
さらに、注文コマンドと商品属性情報、荷受人情報および支払方式との対応関係をサーバに予め設定する。
【０００９】
さらに、工程Ｓ１の前に、注文コマンドと商品属性情報、荷受人情報および支払方式との対応関係を設定することをさらに含む。設定方法は以下の工程を含む。
Ａ１：クライアント端末のアプリケーションで洗濯機とバインディングする。
Ａ２：クライアント端末のアプリケーションが識別情報およびトリガー信号の識別子を取得して、注文コマンドに保存する。
Ａ３：クライアント端末のアプリケーションは、注文コマンドに対応する商品属性情報、荷受人情報および支払方式を設定して、その対応関係をサーバに保存する。
【００１０】
さらに、前記識別情報は、洗濯機番号および／またはユーザＩＤを含む。
【００１１】
さらに、工程Ｓ１の後に、以下の工程をさらに含む。
Ｂ１：インテリジェント端末に注文を確定するかどうかのメッセージを送信する。または
洗濯機の表示インタフェースに注文を確定するかどうかのメッセージを表示する。
Ｂ２：洗濯機は注文を確定するコマンドを受信すると、工程Ｓ２を実行する。
【００１２】
さらに、工程Ｓ３において、商品の注文書を発行するとき、商品の注文書を発行する日付も記録する。
工程Ｓ１において、洗濯機がトリガー信号を受信したとき、現在の日付も取得して、現在の日付から前回商品の注文書を発行した日付までの時間間隔を計算する。該時間間隔が所定の範囲内にある場合、工程Ｓ２を実行する。
【００１３】
さらに、前記荷受人情報は、荷受人の氏名、荷受人の電話番号、荷受住所を少なくとも含む。
前記商品属性情報は、商品の分類、名称、ブランド、バーコード番号、規格、価格範囲、数量、型番、形式、セットプラン、オンラインモールの名称、店舗の名称の少なくとも１つを含む。
【００１４】
さらに、前記商品属性情報は、商品のＵＲＬアドレスまたは所定の商品番号をさらに含む。
【００１５】
さらに、洗濯機に、トリガー信号を発することができる注文装置が設置される。
前記注文装置はタッチパネルであり、所定の軌跡に応じてタッチパネルに触れたとき、所定の軌跡に対応するトリガー信号が洗濯機に送信され、工程Ｓ１を実行する。または
前記注文装置は物理キーであり、所定のキー方式に応じて物理キーを押したとき、所定のキー方式に対応するトリガー信号が洗濯機に送信され、工程Ｓ１を実行する。または
前記注文装置は洗濯機にすでにある、少なくとも２つのキーからなる複合キーであり、複合キーを押したとき、該複合キーに対応するトリガー信号が洗濯機に送信され、工程Ｓ１を実行する。
【００１６】
本発明は、上記方法を採用した洗濯機をさらに提供する。前記洗濯機に、洗濯機を作動させてサーバに注文コマンドを送信する注文装置が設置され、サーバは注文コマンドに基づいて、商品の注文書を発行する。
【００１７】
さらに、前記注文装置は洗濯機に設置されたタッチパネルであり、タッチパネルの作動方式は、所定の軌跡に応じて該タッチパネルに触れることを含む。または
前記注文装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む。または
前記注文装置は洗濯機にすでにある、少なくとも２つのキーからなる複合キーであり、複合キーの作動方式は、複合キーを構成する全てのキーを同時に押すことを含む。
【発明の効果】
【００１８】
本発明を実施するための形態で提供する技術案の有益な効果は、以下の通りである。
本発明の洗濯機はトリガー信号を受信したとき、サーバに注文コマンドを送信し、サーバは該注文コマンドを受信すると、自動的に商品の注文書を発行する。このように商品を使い終わったとき、予め設定した相応する商品を洗濯機で迅速に購入することができ、ユーザの購入操作を簡略化し、ユーザの購入時間を節約し、ユーザの購入効率を高め、商品の迅速な注文を実現する。
【００１９】
本発明を実施するための形態における技術案をより明確に説明するため、以下、発明を実施するための形態で使用する必要がある図を簡単に説明する。以下の説明における図は、本発明のいくつかの実施例に過ぎず、当業者が創造的労働を行わない前提で、これらの図に基づいてその他の図を得ることもできることは明らかである。
【図面の簡単な説明】
【００２０】
【図１】図１は、本発明で提供する洗濯機を使用したワンクリック注文方法のフローチャートである。
【図２】図２は、本発明で提供するもう１つの洗濯機を使用したワンクリック注文方法のフローチャートである。
【図３】図３は、本発明で提供するもう１つの洗濯機を使用したワンクリック注文方法のフローチャートである。
【図４】図４は、本発明で提供する設定方法のフローチャートである。
【図５】図５は、本発明で提供する洗濯機の構造概要図である。
【図６】図６は、本発明で提供する洗濯機の操作パネルの構造概要図である。
【図７】図７は、本発明で提供するもう１つの洗濯機の操作パネルの構造概要図である。
【発明を実施するための形態】
【００２１】
本発明において、洗濯機はＩｏＴ洗濯機であり、洗濯機はサーバと通信接続され、通信技術は、ＷＩＦＩ、ＧＰＲＳ、ＺｅｅｇｂｅおよびＲＳ−４８５技術のいずれか１つでよい。洗濯機はＩｏＴ機能が起動すると、サーバとデータ交換することができる。
【００２２】
以下、図および実施例を組み合わせて、実施方式をさらに説明する。
【実施例】
【００２３】
実施例１
本実施例は、洗濯機を使用したワンクリック注文方法を提供し、洗濯機はサーバと通信接続される。図１に示すように、該方法は以下の工程を含む。
工程１０１：洗濯機がトリガー信号を受信する。
【００２４】
このうち、洗濯機が受信するトリガー信号は、インテリジェント端末が送信するものでよい。好ましくは、洗濯機自体が生成してもよく、具体的に、洗濯機に注文装置を設置することができる。該注文装置が作動するとき、洗濯機の制御モジュールにトリガー信号を送信することができる。
【００２５】
好ましくは、注文装置は洗濯機に設置されたタッチパネルでよい。ユーザが所定の軌跡に応じてタッチパネルに触れたとき、洗濯機の制御モジュールに所定の軌跡に対応するトリガー信号が送信される。
【００２６】
このうち、タッチパネルは透明ガラスの表面に１層のアンチモン酸化スズ薄膜および保護膜がメッキされ、液晶モニタとの間に電子信号の干渉を防ぐ処理を行う必要がある。タッチパネルはタッチ制御技術を直接体現しており、接触信号を検出して、分析、識別する。したがって、ユーザがある軌跡に応じて該タッチパネルに触れたとき、タッチパネルはユーザが触れた軌跡を相応して検出することができる。
【００２７】
このうち、所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、ユーザがアルファベットのＣに応じてタッチパネルに触れたとき、洗濯機の制御モジュールにアルファベットのＣに対応するトリガー信号が送信される。さらに好ましくは、該所定の軌跡は、ユーザが自由に設定して洗濯機に記憶させることができる。
【００２８】
さらに好ましくは、注文装置は洗濯機に設置された物理キーである。所定のキー方式に応じて物理キーを押すと、洗濯機に所定のキー方式に対応するトリガー信号が送信される。
【００２９】
このうち、物理キーのキー方式は、開発者が洗濯機にプリセットすることができる。各キー方式は１つの作動方式であり、各作動方式は１つのトリガー信号に対応する。好ましくは、キー方式は、１度押す、２度続けて押す、３度続けて押す、１度長押しする、１度短押ししてから１度長押しする、２度短押ししてから１度長押しする、のいずれか１つを少なくとも含む。
【００３０】
例えば、プリセットされた作動方式は、１度押すおよび３度続けて押す、を含み、それぞれ第１トリガー信号および第２トリガー信号に対応する。ユーザが該物理キーを３度続けて押したとき、該物理キーは洗濯機の制御モジュールに第２トリガー信号を送信し、洗濯機の制御モジュールは第２トリガー信号を受信する。
【００３１】
好ましくは、該物理キーは、電源キー、スタート／一時停止キー、洗濯プログラムキーおよび洗濯パラメータキー以外の追加したキーであり、このうち洗濯パラメータキーは、例えばすすぎ、脱水、水位、時間、温度、乾燥および回転速度などの洗濯プログラム中の各パラメータを制御する。
【００３２】
例えば、図６に示すように、洗濯機に電源キー、スタート／一時停止キー、洗濯プログラムキー、すすぎキー、脱水キー、水位キーおよびワンクリック注文キーが設けられる。該ワンクリック注文キーは、洗濯機を作動させてサーバに注文コマンドを送信する注文装置であり、サーバは注文コマンドに基づいて、商品の注文書を発行する。
【００３３】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバに注文コマンドを送信する機能を実行する。
【００３４】
例えば、図７に示すように、洗濯機に電源キー、スタート／一時停止キー、洗濯プログラムキー、すすぎキー、脱水キーおよび水位キーが設けられ、このうち水位キーは、洗濯機を作動させてサーバに注文コマンドを送信する注文装置として用いることもできる。洗濯機が始動した後、洗濯プログラムを選択していないとき、該水位キーを押した場合、該水位キーは注文の機能を実行する。すなわち該水位キーに対応するトリガー信号が洗濯機に送信され、洗濯機を作動させてサーバに注文コマンドを送信する。洗濯プログラムを選択した後、該水位キーを押した場合、該水位キーは洗濯機の水位を設定する機能を実行する。
【００３５】
好ましくは、注文装置は、洗濯機における少なくとも２つの任意のキーからなる複合キーであり、複合キーを押したとき、洗濯機に該複合キーに対応するトリガー信号が送信される。
【００３６】
複合キーの作動方式は、複合キーを構成する全てのキーを同時に押すことを含む。
【００３７】
例えば、図７に示す洗濯機の注文装置は、すすぎキー、脱水キーおよび水位キーからなる複合キーである。すすぎキー、脱水キーおよび水位キーを同時に押したとき、洗濯機に該複合キーに対応するトリガー信号が送信される。
【００３８】
注文装置が物理キー、タッチパネルまたは複合キーであるかに関わらず、さらにどの作動方式であるかに関わらず、ユーザにとって、１つの工程で完了することができる操作であり、該作動装置は洗濯機にトリガー信号を送信することができる。したがって、ユーザの操作は極めて簡単で、時間を消費しない。
【００３９】
工程１０２：識別情報およびトリガー信号の識別子を含む注文コマンドをサーバに送信する。
【００４０】
具体的に、洗濯機はトリガー信号を受信したとき、該トリガー信号の識別子および識別情報を相応して取得して、注文コマンドに記憶させ、該注文コマンドをサーバに送信する。
【００４１】
このうち、トリガー信号とトリガー信号の識別子との対応関係は、洗濯機に予め存在し、識別情報は洗濯機番号でも、ユーザＩＤでもよい。具体的に、出荷時、各洗濯機はいずれも異なる洗濯機を識別するための唯一の番号を１つ有し、該番号を洗濯機の制御モジュールにプリセットすることができる。洗濯機がトリガー信号を受信すると、洗濯機の制御モジュールで該番号を取得することができる。ユーザＩＤは、ユーザがサーバにログインするアカウントでよく、該アカウントはサーバで唯一であり、異なるユーザを識別する。該ユーザアカウントを洗濯機の制御モジュールにプリセットすることができ、洗濯機がトリガー信号を受信すると、洗濯機の制御モジュールで該アカウントを取得することができる。
【００４２】
工程１０３：サーバは注文コマンドを受信すると、注文コマンドに対応する商品属性情報、荷受人情報および支払方式を検索して、商品の注文書を発行する。
【００４３】
このうち、注文コマンドと商品属性情報、荷受人情報および支払方式との対応関係をサーバに予め設定する。具体的にユーザが洗濯機を購入するとき、相応する情報を書き込むと、開発者がその対応関係をサーバに追加することができる。好ましくは、ユーザが、相応するクライアント端末のアプリケーションまたはＰＣのホームページで、自らその対応関係を書き込み、サーバに保存することもできる。
【００４４】
サーバは注文コマンドを受信すると、対応関係の表における注文コマンドと対応する情報を検索して、商品の注文書を発行する。具体的に、商品属性情報に基づいてユーザが購入しようとする商品を確定し、支払方式に基づいて該商品を注文し、商品属性情報、荷受人情報を含有する商品の注文書を発行し、好ましくは該商品の注文書に支払方式も表示されることを含む。さらに、サーバは該商品の注文書を企業に送信し、企業に新しい商品の注文書を提示する。企業は商品の注文書における該商品の商品属性に基づいて、対応する商品を選択し、荷受人情報に基づいて、宅配伝票に書き込み、宅配会社または配送会社を介して、商品を荷受人の住所まで届けることができる。
【００４５】
このうち、商品属性情報は商品の分類、名称、ブランド、バーコード番号、規格、価格範囲、数量、型番、形式、セットプラン、オンラインモールの名称、店舗の名称の少なくとも１つを含む。好ましくは数種の属性の組合せでよく、商品属性に基づいて、唯一の商品を確定することができる。好ましくは、商品属性情報は洗濯機と関係する商品であり、好ましくは洗浄製品である。
【００４６】
例えば、商品の分類は洗浄製品でよい。名称は粉末洗剤、洗剤、柔軟剤などでよい。ブランドはタイド、立白などでよい。規格はｎキログラム、ｎミリリットルなどでよい。オンラインモールの名称はハイアールオンラインストア、Ｔｍａｌｌなどでよい。店舗の名称はＸＸ旗艦店でよい。価格範囲は０〜ｎ元でよい。型番／形式は高効果芳香タイプ、ラベンダーの香りなどでよく、セットプランは１個購入すると１個プレゼントなどでよい。バーコード番号は商品の外装にあるバーコードであり、該バーコードに基づいて、唯一のある商品を確定することができる。
【００４７】
商品属性がバーコード番号である場合、該番号に基づいて、唯一の１つの商品を確定することができる。例えば番号が「６９２０１７４７００７８７」の商品について、該商品は分類が洗浄製品、名称は液体洗剤、ブランドは立白、規格は５００ｇ、型番／形式は潔語薔薇であることがわかる。１つの属性で唯一の１つの商品を確定することができない場合、商品属性は複数の属性の組合せでよく、該組み合わせた後の商品属性は唯一の商品を確定することができる。好ましくは、該商品を購入するオンラインモールの名称および店舗の名称も確定することができ、例えばハイアールオンラインストアのハイアール旗艦店で、番号が「６９２０１７４７００７８７」の商品を購入する。
【００４８】
好ましくは、商品属性情報は商品のＵＲＬ（Ｕｎｉｆｏｒｍ  Ｒｅｓｏｕｒｃｅ  Ｌｏｃａｔｏｒ、統一資源位置指定子）アドレスを含むこともでき、該ＵＲＬアドレスはオンラインモールの商品を示す唯一の目的アドレスに用いられる。該目的アドレスを確定すると、例えばオンラインモールの名称、店舗の名称、商品の分類、名称、ブランド、規格、型番、形式、価格などの一部の商品属性を相応して確定することができる。
【００４９】
好ましくは、商品属性情報は所定の商品番号を含むこともできる。具体的に、オンラインモールで販売される各商品に、バーコード番号と異なる商品番号を予め設定する。該商品番号に基づいて、あるオンラインモール中のある店舗のある商品を確定することができるが、バーコード番号はある商品を確定することしかできない。商品番号の作用はＵＲＬアドレスの作用と類似するが、商品番号のＵＲＬアドレスに対する利点は、商品を撤去し、再び陳列すると、ＵＲＬアドレスは変更することができるが、商品番号は変更することができないことである。
【００５０】
具体的な商品属性は、実際の購入状況に基づいて、設定することができる。
【００５１】
このうち、荷受人情報は、荷受人の氏名、荷受人の電話番号、荷受住所を少なくとも含み、好ましくは荷受住所の郵便番号をさらに含む。
【００５２】
このうち、支払方式はオンライン支払または代金引換を含むことができ、オンライン支払について、選択可能な支払システム（例えばクレジットカード支払、デビットカード支払、アリペイ支払またはウィーチャットペイ支払）を予め設定することもできる。支払システムの優先支払順序（例えばアリペイ支払を優先的に使用し、支払が成功しなかった場合、ウィーチャットペイ支払を使用する）をさらに含み、支払制限（例えば一括支払は２００元以下で自動的に支払うことができる、１か月の支払は５００元を超えてはならないなど）を設定することをさらに含む。
【００５３】
本実施例において、洗濯機はトリガー信号を受信すると、サーバに注文コマンドを直接送信し、サーバは該注文コマンドを受信すると、自動的に商品の注文書を発行する。ユーザは、例えばキーを１度押すなど、１つの操作を行うだけで、対応する所定の商品の注文を実現することができる。このように相応する商品、特に洗浄製品を使い終わったとき、予め設定した相応する商品を洗濯機で迅速に購入することができ、ユーザの操作を簡略化し、ユーザの購入時間を節約し、洗浄製品の迅速な注文を実現し、さらにユーザ体験も高めた。
【００５４】
実施例２
本実施例では、洗濯機を使用したワンクリック注文方法を提供し、洗濯機はサーバと通信接続される。実施例１を基にし、洗濯機がトリガー信号を受信した後、さらに相応する計算を行うか、または注文するかどうかを再度確定する必要がある。計算結果または受信したコマンドに基づいて、後続の操作を実行する。図２に示すように、該方法は以下の工程を含む。
工程２０１：洗濯機がトリガー信号を受信する。
【００５５】
本工程の具体的な説明は工程１０１と同じであり、ここでは省略する。
【００５６】
工程２０２：洗濯機は現在の日付を取得し、現在の日付から前回商品の注文書を発行した日付までの時間間隔を計算する。
【００５７】
具体的に、サーバは商品の注文書を発行するとき、日付を記録して洗濯機で同期する。洗濯機がトリガー信号を受信したとき、洗濯機は現在の日付を取得して、前回商品の注文書を発行した日付との時間間隔を計算する。該時間間隔が所定の範囲内にある場合、工程２０３を実行する。
【００５８】
例えば、所定の範囲がｎ＞３０日、取得した現在の日付が２０１５年１１月９日、前回商品の注文書を発行した日付が２０１５年１０月１日であると、時間間隔は３９日で、所定の範囲内にあり、洗濯機は工程２０３に進む。
【００５９】
このうち、該洗濯機が初めて該トリガー信号を受信し、洗濯機に前回商品の注文書を発行した日付の記録が記憶されていない場合、該工程を無視して工程２０３に直接進む。
【００６０】
工程２０３：洗濯機がインテリジェント端末に注文を確定するかどうかのメッセージを送信する。
【００６１】
このうち、洗濯機がネットワーク接続機能を起動すると、インテリジェント端末と対応して接続することができる。インテリジェント端末に相応するアプリケーションをインストールすると、洗濯機はクライアント端末のアプリケーションとデータ交換を行うことができる。
【００６２】
具体的に、洗濯機はインテリジェント端末に指示メッセージを送信し、注文のリクエストを確定するかどうかを提示する。インテリジェント端末が該指示メッセージを開くと、操作インタフェースで「確定」オプションまたは「キャンセル」オプションを選択することができる。「確定」オプションを選択したとき、インテリジェント端末は洗濯機に注文を確定するコマンドを送信する。
【００６３】
このうち、本工程は、洗濯機の表示インタフェースに注文を確定するかどうかのメッセージを表示することに替えることもできる。具体的に、タッチパネルを有するインテリジェント洗濯機において、洗濯機の表示インタフェースに注文を確定するかどうかのメッセージを直接表示することができ、「確定」および「キャンセル」の操作オプションを示す。「確定」オプションを選択したとき、洗濯機は注文を確定するコマンドを受信する。
【００６４】
本工程を設けたのは、注文装置の誤操作を防止するためであり、ユーザはアプリケーションで該注文装置の誤操作防止機能を開始することができる。開始すると、洗濯機がトリガー信号を受信したとき、洗濯機はサーバに注文コマンドを直接送信せず、インテリジェント端末または洗濯機に注文を確定するかどうかのメッセージを送信し、洗濯機は注文を確定するコマンドを受信した後に、工程２０４を実行する。
【００６５】
工程２０４：洗濯機は注文を確定するコマンドを受信したとき、識別情報およびトリガー信号の識別子を含む注文コマンドをサーバに送信する。
【００６６】
具体的に、洗濯機は注文を確定するコマンドを受信すると、該トリガー信号の識別子および識別情報を相応して取得して、注文コマンドに記憶させ、該注文コマンドをサーバに送信する。
【００６７】
このうち、トリガー信号とトリガー信号の識別子とは洗濯機に予め存在し、識別情報は洗濯機番号でも、ユーザＩＤでもよい。具体的に、出荷時、各洗濯機はいずれも異なる洗濯機を識別するための唯一の番号を１つ有し、該番号を洗濯機の制御モジュールにプリセットすることができる。洗濯機がトリガー信号を受信すると、洗濯機の制御モジュールで該番号を取得することができる。ユーザＩＤは、ユーザがサーバにログインするアカウントでよく、該アカウントはサーバで唯一であり、異なるユーザを識別する。該ユーザアカウントを洗濯機の制御モジュールにプリセットすることができ、洗濯機がトリガー信号を受信すると、洗濯機の制御モジュールで該アカウントを取得することができる。
【００６８】
工程２０５：サーバは注文コマンドを受信すると、注文コマンドに対応する商品属性情報、荷受人情報および支払方式を検索して、商品の注文書を発行する。
【００６９】
このうち、商品の注文書を発行するとき、商品の注文書を発行する日付も記録する。
【００７０】
本工程におけるその他の説明、情報は、工程１０３と同じであり、ここでは省略する。
【００７１】
本実施例において、工程２０２および２０３はいずれも誤操作を防止するために設けられる。したがって工程２０２および２０３の順序は限定されず、先に工程２０３を実行してから工程２０２を実行し、さらに工程２０４の実行条件を相応して調整することも、本発明の技術案に属する。他に、実際の利用状況に基づいて、工程２０３、２０４のいずれか１つのみを残すこともできる。
【００７２】
本実施例において、洗濯機はトリガー信号を受信すると、注文するかどうかを確定し、注文を確定するコマンドを受信すると、サーバに注文コマンドを送信し、サーバは該注文コマンドを受信すると、自動的に商品の注文書を発行する。ユーザは、例えばキーを１度押すなど、１つの操作を行い、洗濯機またはインテリジェント端末で再度確定するだけで、対応する所定の商品の注文を実現することができる。このように相応する商品、特に洗浄製品を使い終わったとき、予め設定した相応する商品を洗濯機で迅速に購入することができ、ユーザの操作を簡略化し、ユーザの購入時間を節約し、洗浄製品の迅速な注文を実現し、さらにユーザ体験も高めた。
【００７３】
実施例３
本実施例は、洗濯機を使用したワンクリック注文方法を提供し、洗濯機はサーバと通信接続される。実施例２と異なり、本実施例では、サーバが注文を確定するかどうかのメッセージを送信する。図３に示すように、該方法は以下の工程を含む。
工程３０１：洗濯機がトリガー信号を受信する。
【００７４】
本工程の具体的な説明は工程２０１と同じであり、ここでは省略する。
【００７５】
工程３０２：洗濯機は現在の日付を取得し、現在の日付から前回商品の注文書を発行した日付までの時間間隔を計算する。
【００７６】
本工程の具体的な説明は工程２０２と同じであり、ここでは省略する。
【００７７】
工程３０３：該時間間隔が所定の範囲内にある場合、洗濯機は、識別情報およびトリガー信号の識別子を含む注文コマンドをサーバに送信する。
【００７８】
具体的に、該時間間隔が所定の範囲内にある場合、洗濯機は該トリガー信号の識別子および識別情報を相応して取得して、注文コマンドに記憶させ、該注文コマンドをサーバに送信する。
【００７９】
このうち、トリガー信号とトリガー信号の識別子とは洗濯機に予め存在し、識別情報は洗濯機番号でも、ユーザＩＤでもよい。具体的に、出荷時、各洗濯機はいずれも異なる洗濯機を識別するための唯一の番号を１つ有し、該番号を洗濯機の制御モジュールにプリセットすることができる。洗濯機がトリガー信号を受信すると、洗濯機の制御モジュールで該番号を取得することができる。ユーザＩＤは、ユーザがサーバにログインするアカウントでよく、該アカウントはサーバで唯一であり、異なるユーザを識別する。該ユーザアカウントを洗濯機の制御モジュールにプリセットすることができ、洗濯機がトリガー信号を受信すると、洗濯機の制御モジュールで該アカウントを取得することができる。
【００８０】
工程３０４：サーバは注文コマンドを受信すると、インテリジェント端末に注文を確定するかどうかのメッセージを送信する。
【００８１】
このうち、インテリジェント端末にアプリケーションをインストールすることができ、インテリジェント端末がネットワーク接続すると、アプリケーションはサーバとデータ交換することができる。
【００８２】
具体的に、サーバはインテリジェント端末に指示メッセージを送信し、注文のリクエストを確定するかどうかを提示する。インテリジェント端末が該指示メッセージを開くと、操作インタフェースで「確定」オプションまたは「キャンセル」オプションを選択することができる。「確定」オプションを選択したとき、インテリジェント端末はサーバに注文を確定するコマンドを送信する。
【００８３】
好ましくは、該指示メッセージはショートメッセージの形式でインテリジェント端末に送信することもでき、端末はショートメッセージの形式で注文を確定するコマンドをサーバに送信する。
【００８４】
工程３０５：サーバは注文を確定するコマンドを受信すると、注文コマンドに対応する商品属性情報、荷受人情報および支払方式を検索して、商品の注文書を発行する。
【００８５】
本工程の具体的な説明は工程２０５と同じであり、ここでは省略する。
【００８６】
本実施例において、洗濯機がトリガー信号を受信すると、隣接する２回の購入の時間間隔が所定範囲内にあるかどうかを判断し、判断結果に基づいて後続の操作を実行する。サーバは注文コマンドを受信すると、注文を確定するかどうかの指示メッセージをさらに発し、注文を確定するコマンドを受信すると、自動的に商品の注文書を発行する。ユーザは、例えばキーを１度押すなど、１つの操作を行い、洗濯機またはインテリジェント端末で再度確定するだけで、対応する所定の商品の注文を実現することができる。このように相応する商品、特に洗浄製品を使い終わったとき、予め設定した相応する商品を洗濯機で迅速に購入することができ、ユーザの操作を簡略化し、ユーザの購入時間を節約し、洗浄製品の迅速な注文を実現し、さらにユーザ体験も高めた。
【００８７】
実施例４
本実施例において、洗濯機はサーバと通信接続され、サーバはインテリジェント端末と通信接続される。通信技術はＷＩＦＩ、ＧＰＲＳ、ＺｅｅｇｂｅおよびＲＳ−４８５技術のいずれか１つでよく、インテリジェント端末はスマートフォン／ＰＡＤ／ＰＣでよい。このうち、サーバは、ユーザアカウントの登録および管理、洗濯機およびユーザアカウントのバインディングおよび管理を含む洗濯機管理プラットフォームサービスを提供する。サーバはさらに洗濯機に制御コマンドを送信して、洗濯機が報告する情報を受信し、さらに洗濯機の動作状態をインテリジェント端末で同期することができる。インテリジェント端末に洗濯機を制御することができるアプリケーションをインストールすると、クライアント端末のアプリケーションでアカウントを登録し、さらに洗濯機とバインディングすることができる。
【００８８】
このうち、洗濯機に注文装置が設置され、該注文装置は少なくとも１つの作動させる作動方式を含み、各作動方式は１つのトリガー信号に対応することができる。異なるトリガー信号に基づいて、ユーザはクライアント端末のアプリケーションで予め購入する異なる商品を設定することができる。好ましくは、該予め購入する商品を洗濯機と関係する商品に設定し、さらに好ましくは洗浄製品である。家庭用洗浄製品は通常、特定のブランドであり、定期的に購入する必要があり、通常洗濯機付近に置かれる。したがって、予め購入する商品を洗浄製品に設定することが好ましく、洗浄製品をもうすぐ使い終わることに気付いたとき、便利に、迅速に注文することができる。
【００８９】
ユーザが初めて注文装置を使用するとき、クライアント端末のアプリケーションで注文装置を相応して設定することができる。図４に示すように、該設定方法は以下の工程を含む。
工程４０１：クライアント端末のアプリケーションで洗濯機とバインディングする。
【００９０】
具体的に洗濯機が始動すると、クライアント端末のアプリケーションを起動して洗濯機を検索する機能に進み、該洗濯機を検出すると、自動的に接続して該洗濯機とバインディングすることができる。このうち、ＷＩＦＩ技術、ブルートゥース(登録商標)技術などにより、クライアント端末のアプリケーションおよび洗濯機の接続を構築することができる。
【００９１】
クライアント端末のアプリケーションおよび洗濯機を接続することができない場合、ユーザはクライアント端末のアプリケーションのページで洗濯機の型番を自ら入力して洗濯機とバインディングすることもできる。
【００９２】
例えば、ＸＸブランドの型番Ａ−３０９Ｓの洗濯機について、ユーザがクライアント端末のアプリケーションで洗濯機を検索する機能を起動すると、「ＸＸブランド、型番Ａ−３０９Ｓ」の洗濯機を検出したとき、ＷＩＦＩを介して自動的に接続し、該洗濯機とバインディングすることができる。
【００９３】
工程４０２：クライアント端末のアプリケーションが識別情報およびトリガー信号の識別子を取得して、注文コマンドに保存する。
【００９４】
トリガー信号の識別子の取得は、具体的に、洗濯機およびクライアント端末のアプリケーションをバインディングすると、クライアント端末のアプリケーションは該洗濯機の型番を取得し、さらに該型番の洗濯機に対応する全ての作動方式をアプリケーションの設定インタフェースに表示し、ユーザがある作動方式を選択したとき、クライアント端末のアプリケーションは該作動方式に対応するトリガー信号の識別子を取得することを含む。
【００９５】
例えば、ＸＸブランドの型番Ａ−３０９Ｓの洗濯機について、その洗濯機に物理キーが設置され、対応する作動方式は１度押す、２度続けて押す、および３度続けて押す、を含む。クライアント端末のアプリケーションが型番Ａ−３０９Ｓの洗濯機とバインディングすると、クライアント端末のアプリケーションは型番「Ａ−３０９Ｓ」を取得し、さらに作動方式の「１度押す、２度続けて押す、および３度続けて押す」を設定インタフェースに表示する。ユーザが設定インタフェースで「１度押す」を選択したとき、クライアント端末のアプリケーションは「１度押す」に対応するトリガー信号の識別子を取得する。
【００９６】
このうち、識別情報は洗濯機番号でも、ユーザＩＤでもよい。出荷時、各洗濯機はいずれも異なる洗濯機を識別するための唯一の番号を１つ有する。ユーザＩＤは、ユーザがサーバにログインするアカウントでよく、該アカウントはサーバで唯一であり、異なるユーザを識別する。
【００９７】
ユーザＩＤの取得は、具体的に、クライアント端末のアプリケーションでログインしたユーザＩＤを直接取得して、該ユーザＩＤを洗濯機の制御モジュールで同期することを含む。洗濯機がトリガー信号を受信したとき、該ユーザＩＤを取得して、洗濯機の注文コマンドに記憶させ、サーバに送信するのに便利である。
例えば、クライアント端末のアプリケーションでログインしたユーザＩＤがスマートフォン番号「１３６＊＊＊＊１２３４」であると、クライアント端末のアプリケーションはユーザＩＤ「１３６＊＊＊＊１２３４」を直接取得して、該ユーザＩＤを洗濯機で同期する。
【００９８】
洗濯機番号の取得は、具体的に、洗濯機から洗濯機番号を取得するか、またはユーザがクライアント端末のアプリケーションで洗濯機番号を入力したことを検出したとき、該洗濯機番号を取得することを含む。
【００９９】
例えば、該洗濯機の出荷番号が「２０１５０９１０＊＊＊＊１２３４」であると、クライアント端末のアプリケーションは洗濯機から該番号「２０１５０９１０＊＊＊＊１２３４」を取得するか、またはユーザがクライアント端末のアプリケーションの設定インタフェースで番号「２０１５０９１０＊＊＊＊１２３４」を直接入力する。
【０１００】
具体的に、クライアント端末のアプリケーションは識別情報およびトリガー信号の識別子を取得すると、それを注文コマンドに保存する。このうち、クライアント端末のアプリケーションが保存した注文コマンドは、洗濯機の注文コマンドと同じである。好ましくは、クライアント端末のアプリケーションが保存した注文コマンドを洗濯機で同期することもできる。
【０１０１】
識別情報およびトリガー信号の識別子を含む注文コマンドについて、異なる洗濯機またはユーザＩＤが送信する注文コマンドはいずれも異なり、異なる作動方式は異なるトリガー信号に対応する。同一の洗濯機またはユーザＩＤが送信する注文コマンドも異なり、したがって、各注文コマンドはいずれも唯一である。
【０１０２】
工程４０３：クライアント端末のアプリケーションは、注文コマンドに対応する商品属性情報、荷受人情報および支払方式を設定して、その対応関係をサーバに保存する。
【０１０３】
具体的に、クライアント端末のアプリケーションが識別情報およびトリガー信号の識別子を注文コマンドに保存した後、ユーザが設定ページで商品属性情報、荷受人情報および支払方式を設定したことを検出したとき、クライアント端末のアプリケーションはユーザが設定した情報を保存して、注文コマンドと商品属性情報、荷受人情報および支払方式との対応関係を構築し、該対応関係をサーバに保存する。
【０１０４】
商品属性情報の設定について、クライアント端末のアプリケーションは全ての商品属性を設定インタフェースに表示してユーザに選択させることも、ユーザが手動で入力した情報に基づいて、最も近い商品属性と対応させることもできる。ユーザがある商品属性を選択すると、クライアント端末のアプリケーションは関係する商品属性を設定インタフェースに表示し、関係のない商品属性を隠すことができる。さらに好ましくは、ユーザが商品属性を設定するとき、クライアント端末のアプリケーションはデフォルトのその他の商品属性を自動的に選択することもでき、さらに設定インタフェースに表示し、ユーザはデフォルトの商品属性を修正することができる。
【０１０５】
さらに、ユーザが設定を完了した後、または設定の過程において、クライアント端末のアプリケーションはユーザが設定した商品属性情報をリアルタイムでサーバにアップロードすることもできる。サーバは、ユーザが設定した商品属性情報に対応する商品を照会し、無い場合、サーバはクライアント端末のアプリケーションに対応する商品がないというメッセージを送信することもでき、クライアント端末のアプリケーションは該メッセージを設定インタフェースに表示する。
【０１０６】
荷受人情報の設定について、ユーザは設定ページで関連情報を手動で入力することができ、クライアント端末のアプリケーションはユーザが入力した情報を保存する。好ましくは、クライアント端末のアプリケーションはユーザの購入履歴を検出することもでき、さらに購入履歴の荷受人情報をデフォルトの荷受人情報に自動的に設定し、ユーザは荷受人情報を変更することもできる。
【０１０７】
支払方式の設定について、ユーザはオンライン支払または代金引換を選択することができ、オンライン支払を選択したとき、支払システム（例えばクレジットカード支払、デビットカード支払、アリペイ支払またはウィーチャットペイ支払）を選択することができる。好ましくは、支払システムの優先支払順序（例えばアリペイ支払を優先的に使用し、支払が成功しなかった場合、ウィーチャットペイ支払を使用する）を設定することもでき、さらに好ましくは、支払制限（例えば一括支払は２００元以下で自動的に支払うことができる、１か月の支払は５００元を超えてはならないなど）を設定することもできる。
【０１０８】
好ましくは、ユーザが支払方式を設定しない場合、支払方式を代金引換に規定し、ショートメッセージでユーザに通知する。またはクライアント端末のアプリケーションで相応する指示メッセージを表示する。
【０１０９】
本実施例において、クライアント端末のアプリケーションをサポートするインテリジェントＩｏＴ洗濯機について、クライアント端末のアプリケーションを洗濯機に直接インストールすることもできる。ユーザは洗濯機でアカウントを登録して、該洗濯機とバインディングすることができ、さらに洗濯機で注文コマンドに対応する商品属性情報、荷受人情報および支払方式を設定して、その対応関係をサーバに保存する。
【０１１０】
設定の完了後、上記設定内容を保存する。以降の使用において、ユーザが購入するたびに、すでに設定した作動方式に応じて洗濯機の注文装置を作動させると、洗濯機は例えば実施例１または実施例２または実施例３の注文方法を実行して自動的に注文する。このようにユーザの購入操作を簡略化し、ユーザの購入時間を節約し、ユーザ体験を高めた。
【０１１１】
実施例５
本実施例は洗濯機を提供し、該洗濯機はＩｏＴ洗濯機である。このうち、該洗濯機に、洗濯機を作動させてサーバに注文コマンドを送信する注文装置が設けられ、サーバは注文コマンドに基づいて商品の注文書を発行する。
【０１１２】
具体的に、洗濯機は通信モジュールおよび制御モジュールを含み、洗濯機は通信モジュールを介してサーバとデータ交換を行う。注文装置が作動すると、洗濯機の制御モジュールに相応するトリガー信号が送信され、制御モジュールがトリガー信号を受信すると、通信モジュールを介してサーバに相応する注文コマンドが送信され、このうち注文コマンドは識別情報およびトリガー信号の識別子を含む。サーバは注文コマンドを受信すると、注文コマンドに対応する商品属性情報、荷受人情報および支払方式を検索する。このうち、注文コマンドと商品属性情報、荷受人情報および支払方式との対応関係をサーバに予め設定し、サーバは検索した情報に基づいて、自動的に商品の注文書を発行する。
【０１１３】
好ましくは、注文装置は、洗濯機に設置されたタッチパネルであり、タッチパネルの作動方式は、所定の軌跡に応じて該タッチパネルに触れることを含む。このうち、タッチパネルは透明ガラスの表面に１層のアンチモン酸化スズ薄膜および保護膜がメッキされ、液晶モニタとの間に電子信号の干渉を防ぐ処理を行う必要がある。タッチパネルはタッチ制御技術を直接体現しており、接触信号を検出して、分析、識別する。したがって、ユーザがある軌跡に応じて該タッチパネルに触れたとき、タッチパネルはユーザが触れた軌跡を相応して検出することができる。
【０１１４】
所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、作動方式は、アルファベットＣの軌跡に応じて該タッチパネルに触れることである。
【０１１５】
さらに好ましくは、注文装置は洗濯機に設置された物理キーであり、そのキー方式は開発者が洗濯機にプリセットすることができる。各キー方式は１つの作動方式であり、各作動方式は１つのトリガー信号に対応する。好ましくは、該物理キーの作動方式は、１度押す、２度続けて押す、３度続けて押す、１度長押しする、１度短押ししてから１度長押しする、２度短押ししてから１度長押しする、のいずれか１つを少なくとも含む。
【０１１６】
好ましくは、該物理キーは、電源キー、スタート／一時停止キー、洗濯プログラムキーおよび洗濯パラメータキー以外の追加したキーであり、このうち洗濯パラメータキーは、例えばすすぎ、脱水、水位、時間、温度、乾燥および回転速度などの洗濯プログラム中の各パラメータを制御する。
【０１１７】
例えば、図６に示すように、洗濯機に電源キー、スタート／一時停止キー、洗濯プログラムキー、すすぎキー、脱水キー、水位キーおよびワンクリック注文キーが設けられる。該ワンクリック注文キーは、洗濯機を作動させてサーバに注文コマンドを送信する注文装置であり、サーバは注文コマンドに基づいて、商品の注文書を発行する。
【０１１８】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバに注文コマンドを送信する機能を実行する。
【０１１９】
例えば、図７に示すように、洗濯機に電源キー、スタート／一時停止キー、洗濯プログラムキー、すすぎキー、脱水キーおよび水位キーが設けられ、このうち水位キーは、洗濯機を作動させてサーバに注文コマンドを送信する注文装置として用いることもできる。洗濯機が始動した後、洗濯プログラムを選択していないとき、該水位キーを押した場合、該水位キーは注文の機能を実行する。すなわち該水位キーに対応するトリガー信号が洗濯機に送信され、洗濯機を作動させてサーバに注文コマンドを送信する。洗濯プログラムを選択した後、該水位キーを押した場合、該水位キーは洗濯機の水位を設定する機能を実行する。
【０１２０】
好ましくは、注文装置は洗濯機における少なくとも２つの任意のキーからなる複合キーであり、複合キーの作動方式は、複合キーを構成する全てのキーを同時に押すことを含む。
【０１２１】
例えば、図７に示すように、注文装置はすすぎキー、脱水キーおよび水位キーからなる複合キーであり、該複合キーの作動方式は、すすぎキー、脱水キーおよび水位キーを同時に押すことである。
【０１２２】
注文装置が物理キー、タッチパネル、または複合キーであるかに関わらず、さらにどの作動方式であるかに関わらず、ユーザは該洗濯機を使用して１つの工程で注文を完了することができる。この種の購入可能な洗濯機は、ユーザの購入習慣を改善しただけでなく、ユーザの購入時間を節約し、ユーザの購入効率を高め、購入におけるユーザ体験を大幅に高め、洗濯機の使用におけるユーザ体験も高めた。
【０１２３】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修正することができるが、いずれも本発明の技術案の内容を逸脱しない。本発明の技術的本質に基づいて、以上の実施例に対して行う簡単な修正、均等変化および修飾は、いずれも本発明案の範囲内に属する。
【図１】
2019504424.tif 000003
【図２】
2019504424.tif 000004
【図３】
2019504424.tif 000005
【図４】
2019504424.tif 000006
【図５】
2019504424.tif 000007
【図６】
2019504424.tif 000008
【図７】
2019504424.tif 000009
【国際調査報告】
2019504424.tif 000010
2019504424.tif 000011
2019504424.tif 000012
2019504424.tif 000013